(57)【要約】      （修正有）【課題】特注色の調色にかかる時間とコストを削減し、色見本と同一の塗料を容易に調色可能とし、かつ、熟練した調色要員でなくとも調色を可能とする色見本シートを提供する。【解決手段】基材シート２上に、複数の塗料の塗布見本３が設けられている色見本シート１であって、該複数の塗料は、３種以上の基本色塗料から選ばれる１〜３種をそれぞれ含有し、該塗布見本は、下記（１）〜（３）を満たすように配置されている色見本シートを用いる。（１）塗布見本は、１つ以上の三角ダイアグラムを構成する。（２）各三角ダイアグラムの頂点は、それぞれ１種の基本色塗料を表す。（３）各三角ダイアグラムは、各塗布見本の塗料が含有する３種の基本色塗料の組成比を示す。【選択図】図３
2010002310.tif 000002
【特許請求の範囲】
【請求項１】
基材シート上に、複数の塗料の塗布見本が設けられている、三角ダイアグラムで表される色見本シートであって、該複数の塗料は、３種以上の基本色塗料から選ばれる１〜３種をそれぞれ含有し、該塗布見本は、下記（１）〜（３）を満たすように配置されている色見本シート。
（１）塗布見本は、１つ以上の三角ダイアグラムを構成する。
（２）各三角ダイアグラムの頂点は、それぞれ１種の基本色塗料を表す。
（３）各三角ダイアグラム内の各塗布見本の位置は、塗料における３種の基本色塗料の組成比を示す。
【請求項２】
さらに、各塗料の組成比を示す組成表示手段を有する請求項１に記載の色見本シート。
【請求項３】
前記基材シート上に、各塗料の組成比を示す表が設けられている請求項２に記載の色見本シート。
【請求項４】
前記各塗布見本上又はその近傍に、各塗料の組成表示が設けられている請求項２に記載の色見本シート。
【請求項５】
前記３種の基本色塗料が有彩色系塗料２種及び無彩色系塗料１種より構成されている請求項１〜４のいずれかに記載の色見本シート。
【請求項６】
各三角ダイアグラムにおける３種の基本色塗料の組み合わせが、赤色系−青色系−無彩色系、赤色系−黄色系−無彩色系、緑色系−青色系−無彩色系又は緑色系−黄色系−無彩色系である請求項５に記載の色見本シート。
【請求項７】
前記基材シートが透明又は半透明である請求項１〜６のいずれかに記載の色見本シート。
【請求項８】
前記塗布見本が、基材シート表面に塗料を塗布して形成されている請求項１〜７のいずれかに記載の色見本シート。
【請求項９】
前記塗布見本が、塗料を塗布したサンプル片を基材シートに貼付して設けられたものである請求項１〜７のいずれかに記載の色見本シート。
【請求項１０】
各三角ダイアグラムの形状が直角三角形である請求項１〜９のいずれかに記載の色見本シート。
【請求項１１】
各三角ダイアグラムの形状が正三角形である請求項１〜９のいずれかに記載の色見本シート。
【請求項１２】
複数の三角ダイアグラムを構成するように塗布見本が配置されている請求項１〜１１のいずれかに記載の色見本シート。
【請求項１３】
複数の三角ダイアグラムが、互いに一辺を共有するようにして塗布見本が配置されている請求項１２に記載の色見本シート。
【請求項１４】
基材シート上に、複数の塗料の塗布見本が設けられている、三角ダイアグラムで表される色見本シートであって、該複数の塗料は、塗料ベース及び３種以上のカラーベースから選ばれる１〜３種をそれぞれ含有し、該塗布見本は、下記（１）〜（３）を満たすように配置されている色見本シート。
（１）塗布見本は、１つ以上の三角ダイアグラムを構成する。
（２）各三角ダイアグラムの頂点は、それぞれ１種の塗料ベース又はカラーベースを表す。
（３）各三角ダイアグラム内の各塗布見本の位置は、塗料における３種のカラーベースの組成比を示す。
【請求項１５】
請求項１〜１４のいずれかに記載の色見本シートを用いて配合比率を求める調色方法。
【発明の詳細な説明】
【技術分野】
【０００１】
本発明は塗料の色見本シートに関する。具体的には、３種以上の基本色塗料から選択される１〜３種をそれぞれ含む複数の塗料の塗布見本が設けられた色見本シートに関する。
【背景技術】
【０００２】
従来、塗料は限定された標準色の品揃えとなっており、それ以外の色は特注により塗料メーカーが調色して提供する。特注色の調色に際しては、ユーザーがＰＡＮＴＯＮＥ、ＤＩＣカラーガイド、塗料標準色色見本（日本塗料工業会製）や、企業独自の色票などにより色を指定し、塗料メーカーはこれに基づいて調色試作を作製してユーザーに提出し、ユーザーが採用した塗料を製品としている。
【０００３】
ＰＡＮＴＯＮＥなどの一般的な色票に基づいて特注色を調色する場合、色票と同一の色に近づけるように、元となる塗料や色材の性質を考慮しつつ何度も色合わせを行う必要があり、各塗料の特性を認識している熟練の調色要員であっても時間のかかる作業である。次に、塗料メーカーは複数の調色試作を作製してユーザーに提出し、ユーザーは所望の色味に近いものを選択する。このように、調色には多くの人員の手間がかかるため、人件費等の製造コストがかかり、また、納期の長期間化を招く。さらに、特注色の品揃えは少数多品種となりやすく、これらの過大な在庫を管理・保存する必要が生じるため、管理コストの面でも塗料メーカーに負担がかかる。このように、特注色の調色は、塗料メーカーやユーザーにとって、時間とコストがかかるという問題があった。
【０００４】
また、一般的な色票に基づいて特注色を調色した場合、色票に用いられている塗料の性質や塗装方法などを完全に再現することは事実上不可能であり、色票、調色試作及び実際の塗装物の間では、必ず色味に差異が生じる。また、そもそも一般的な色票が有する広い色域に対して、必ずしも調色が可能であるとは限らない。すなわち、一般的な色票に基づく調色は、必ずしも正確ではないという問題があった。
さらに、既存の塗料を、塗装作業現場で若干の変更を行う必要が生じた場合や、調色要員ではないユーザー等が、既存の塗料を配合して新規色の試作を行う場合には、塗料特性の認識や経験が不足するため、実際に所望の色を得ることは非常に困難である。
【発明の開示】
【発明が解決しようとする課題】
【０００５】
本発明は、特注色の調色にかかる時間とコストを削減し、色見本と同一の塗料を容易に調色可能とし、かつ、熟練した調色要員でなくとも調色を可能とする色見本シートを提供することを目的とする。
【課題を解決するための手段】
【０００６】
本発明者らは、前記課題を解決するために鋭意研究を重ねた結果、複数の塗料の塗布見本を、塗料の組成比を示す三角ダイアグラム状に配置した色見本シートにより前記の目的を達成することを見出し本発明を完成したものである。
すなわち、本発明は、
１．基材シート上に、複数の塗料の塗布見本が設けられている、三角ダイアグラムで表される色見本シートであって、該複数の塗料は、３種以上の基本色塗料から選ばれる１〜３種をそれぞれ含有し、該塗布見本は、下記（１）〜（３）を満たすように配置されている色見本シート、
（１）塗布見本は、１つ以上の三角ダイアグラムを構成する。
（２）各三角ダイアグラムの頂点は、それぞれ１種の基本色塗料を表す。
（３）各三角ダイアグラム内の各塗布見本の位置は、塗料における３種の基本色塗料の組成比を示す。
２．基材シート上に、複数の塗料の塗布見本が設けられている、三角ダイアグラムで表される色見本シートであって、該複数の塗料は、塗料ベース及び３種以上のカラーベースから選ばれる１〜３種をそれぞれ含有し、該塗布見本は、下記（１）〜（３）を満たすように配置されている色見本シート、及び
（１）塗布見本は、１つ以上の三角ダイアグラムを構成する。
（２）各三角ダイアグラムの頂点は、それぞれ１種の塗料ベース又はカラーベースを表す。
（３）各三角ダイアグラム内の各塗布見本の位置は、塗料における３種のカラーベースの組成比を示す。
３．上記１又は２に記載の色見本シートを用いて配合比率を求める調色方法、
を提供するものである。
【発明の効果】
【０００７】
本発明の色見本シートによれば、特注色の調色にかかる時間とコストを削減しつつ、色見本と同一の塗料を容易に調色可能とし、さらに、熟練した調色要員でなくとも調色が可能となる。
【発明を実施するための最良の形態】
【０００８】
本発明で用いられる基材シートは、塗布見本を設けることができるものであればよく、例えば、合成樹脂等の透明又は半透明材料、あるいは、紙、繊維、金属等の不透明材料をフィルム状、シート状又は板状としたものを用いることができ、取り扱いの容易さの点から、紙やフィルム状又はシート状合成樹脂が好ましい。前記合成樹脂の具体例としては、ポリエチレン、ポリプロピレン、ポリエチレンテレフタレート、アクリル樹脂、ポリカーボネート等が挙げられる。
本発明の色見本シートとして透明又は半透明の基材シートを用いると、色見本シートを塗装対象物に重ねるだけで、塗装対象物に各塗料を塗布した際の色味を一目で確認することができる。
【０００９】
前記基材シートには、複数の塗料の塗布見本が設けられている。塗布見本としては、基材シート表面に、ペン、鉛筆、印刷等によって三角形、四角形等の多角形、円形、楕円形、星形、その他不定形等の各種形状の区画を設け、その区画に対応する塗料の塗膜を形成することで設けることができる。塗膜の形成方法としては、常法に従いスプレーガンによる霧化式塗装、ロールもしくは刷毛塗り塗装法等が挙げられる。また、基材シートとして挙げられた素材等を、フィルム状、シート状、板状等の形状とし、その表面に塗料を塗布して得られたサンプル片を、塗料の組成に応じて基材シート上の適切な位置に貼付することによって設けることも可能である。塗布見本の形状は特に限定されないが、三角形又は四角形であると、隣接する塗布見本の色と見比べ易い点で好ましい。
基材シート上に設けられる塗布見本の数は特に限定されず、基材シートの大きさに応じて適宜選択することができるが、基材シートがＡ４サイズ程度であれば、６〜２００個設けることが好ましく、１０〜１００個設けることがより好ましく、１５〜５０個設けることがさらに好ましい。
【００１０】
塗布見本に用いられる複数の塗料は、３種以上の基本色塗料から選ばれる１〜３種を、それぞれ含有する。本発明に用いられる基本色塗料とは、本発明の色見本シートが有するいずれかの三角ダイアグラムの頂点で表される任意の色味の塗料であり、その種類は特に限定されず、利用分野に応じて各種塗料を適宜用いることが可能であり、具体的には、アミノアクリル樹脂塗料、アミノアルキド樹脂塗料、アルキド樹脂塗料、ウレタン樹脂塗料、エポキシ塗料、ビニル樹脂塗料、フッ素樹脂塗料、ポリエステル樹脂塗料など各種樹脂系塗料が含まれ、さらにはエマルジョン塗料、堅練りペイント、水溶性塗料、ゾル型塗料、多液型塗料、調合ペイント、粉体塗料など各種形態の塗料が含まれる。
また、３種の基本色塗料の組み合わせは特に限定されないが、３種が互いに極端に類似しない組み合わせであると、得られる色見本シートが、その利用分野で求められる塗料をある程度網羅できる点で好ましく、３種が互いに極端に異ならない組み合わせであると、基本色塗料の微量の計量誤差の影響を防ぐことができるため好ましい。具体的には、有彩色系塗料２種と無彩色系塗料１種の組合せが好ましく、赤色系−青色系−無彩色系、赤色系−黄色系−無彩色系、緑色系−青色系−無彩色系、緑色系−黄色系−無彩色系等の組合せがより好ましい。前記赤色系、青色系、黄色系、緑色系、無彩色系とは当該色または当該色に近い色を意味する。例えば赤色系は赤色でもよいが、赤茶色等赤に近い色でもよい。また、無彩色系は無彩色でもよいが、無彩色に有彩色を僅かに含む色でもよい。無彩色系は白色系、灰色系、黒色系のいずれでもよい。
【００１１】
前記塗布見本は、基材シート上に、１つ以上の三角ダイアグラムを構成するように配置される。このように配置する具体的な方法としては、単に塗布見本を三角ダイアグラム状に配置してもよいし（図１及び２参照）、あるいは、基材シート上に各基本色塗料を頂点とした三角ダイアグラムを描き、各塗布見本をそれぞれ対応する位置に配置してもよい（図３参照）。複数の塗布見本により構成される各三角ダイアグラムの形状は三角形であれば特に限定されないが、基本色塗料の組成比と色の配列との見易さを考慮して正三角形又は直角三角形が好ましい。
【００１２】
前記塗布見本は、各三角ダイアグラムの頂点が、それぞれ１種の基本色塗料を表すように、かつ、各三角ダイアグラムが、各塗布見本における３種の基本色塗料の組成比を示すように配置される。具体的には、三角ダイアグラムの各頂点に配置されている塗布見本は、当該頂点で表される基本色塗料の組成比が最も多く、また、各頂点の近くに配置されている塗布見本ほど、当該頂点で表される基本色塗料の組成比が高いものとなるように配置される。例えば、図１に示す本発明の態様では、三角ダイアグラムの頂点に配置されている塗布見本３−ａは、基本色塗料である黄色系塗料（ＹＥＬＬＯＷ）の塗布見本であり、３−ｂは白色系塗料（ＷＨＩＴＥ）の塗布見本であり、３−ｃは緑色系塗料（ＧＲＥＥＮ）の塗布見本である。塗布見本３−ａと３−ｂとの間に配置されている４つの塗布見本は、いずれも基本色塗料である黄色系塗料及び白色系塗料のみを配合して得られた塗料のものであるが、その組成比はそれぞれ異なる。すなわち、３−ａに近い塗布見本ほど黄色系塗料の組成比が高く、３−ｂに近い塗布見本ほど白色系塗料の組成比が高い。同様に、塗布見本３−ｂと３−ｃとの間に配置されている塗布見本は、白色系塗料及び緑色系塗料のみを配合して得られた塗料のものであり、３−ｃに近い塗布見本ほど緑色系塗料の組成比が高く、３−ｂに近い塗布見本ほど白色系塗料の組成比が高い。さらに、塗布見本３−ａと３−ｃとの間に配置されている塗布見本は、黄色系塗料及び緑色系塗料のみを配合して得られた塗料のものであり、３−ｃに近い塗布見本ほど緑色系塗料の組成比が高く、３−ａに近い塗布見本ほど黄色系塗料の組成比が高い。これら以外の、三角ダイアグラムの内側に配置されている塗布見本３は、いずれも黄色系塗料、白色系塗料及び緑色系塗料の３種を含有する塗料のものであり、３−ａに近いものほど黄色系塗料の組成比が高く、３−ｂに近いものほど白色系塗料の組成比が高く、３−ｃに近いものほど緑色系塗料の組成比が高い。尚、本発明の色見本シートが示す組成比は、塗料が含有する３種の基本色塗料の質量比であることが好ましい。
本発明の色見本シートは、上述のように、塗料が含有する基本色塗料３種の組成比に応じて、塗布見本が三角ダイアグラム状に配置されているため、基本色塗料３種を配合して得られる複数の塗料を一見して比較することが可能であり、各塗料の組成比も容易に把握することができる。また、本発明の色見本シートが所望の色の塗布見本を有しない場合であっても、所望の色に近似する色味の塗布見本を１つ以上選択し、それらの組成比に基づいて所望の色の組成比を推測することが可能であるため、比較的容易に調色することが可能である。
【００１３】
図１に示す本発明の色見本シートは、黄色系塗料、白色系塗料及び緑色系塗料の塗布見本を、それぞれ３−ａ、３−ｂ及び３−ｃに配置し、これらを頂点とする三角ダイアグラムを有するものであるが、任意の３つの塗布見本の塗料を基本色塗料と見なして使用することもできる。例えば、図１に示す本発明の色見本シートによれば、３−ｆで示される塗料の組成比は、３−ａ、３−ｂ及び３−ｃで示される塗料を３種の基本色塗料として、これらの比率で２０％：６０％：２０％であることが確認できるが、同時に、３−ｄ、３−ｂ及び３−ｅで示される塗料を３種の基本色塗料として、これらを２５％：５０％：２５％の比率で配合することで、同一の塗料が得られることも把握できる。従って、予め３−ｄ及び３−ｅで示される塗料を用意することで、より色味の似通った３色を新たな基本色塗料とする縮小三角ダイアグラムを用いて、３−ｆで示される塗料の生産が可能となる。このようにして、所望の色を含むより小さい三角ダイアグラムに基づき、互いにより似通った色味の基本色塗料に基づいて目的塗料の生産を行うことで、計量誤差による色ぶれを防止できるという効果がある。
【００１４】
また、本発明において塗布見本に用いられる塗料としては、３種以上の基本色塗料から選ばれる１〜３種を含有していれば、さらに基本色以外の塗料や添加物を含有してもよい。塗料に基本色以外の塗料や添加物を含有させる場合には、添加によって塗料の色味にばらつきが発生することを防ぐため、同一の三角ダイアグラム内で用いられる全ての塗料は、実質的に同一かつ同量の基本色以外の塗料や添加物を含有していることが好ましい。基本色以外の塗料としては、上述の基本色塗料と同様のものを用いることができる。添加物の具体例としては、本発明の目的を阻害しないものであれば特に限定されず、各種樹脂、溶剤、充填材、添加剤等が挙げられる。図２に示す塗布見本３は、いずれも基本色塗料である白色系塗料、黄色系塗料及び緑色系塗料から選択される１〜３種１０質量部に対して、さらに基本色以外の塗料として黒色系塗料１質量部を含む塗料を用いて設けられている。
【００１５】
本発明の色見本シートは、塗布見本が三角ダイアグラムを構成するように配置されているため、そのままでも各塗布見本の塗料が含有する基本色塗料の組成比が確認できるが、さらに各塗布見本の塗料の組成比を示す組成表示手段が設けられていることが好ましい。組成表示手段としては、基材シート上に各塗布見本の組成比を示す表を設けたり、塗布見本上又はその近傍に、塗料の組成比を示す組成表示を設けて構成することができる。具体的には、図１に示す本発明の態様においては、基材シート２上に三角ダイアグラムを模した表４が設けられ、三角ダイアグラム内の各塗布見本３と同じ配列で組成比が記載されており、図２に示す本発明の態様においては、各塗布見本３上に、該塗布見本３の塗料の組成比を記載することで組成表示５が設けられており、また、図３に示す本発明の態様においては、各塗布見本３上に塗料番号が記載されており、該塗料番号とその組成比とを示す表４が設けられているため、いずれの態様においても、各塗布見本３における基本色塗料３種の組成比を容易に確認することができる。組成表示手段としては、基本色塗料３種の組成比のみを示すものであってもよいし、さらに添加物や基本色以外の塗料の組成比をも示すものであってもよい。
【００１６】
本発明の色見本シートでは、上述と同様にして、基材シート上に複数の三角ダイアグラムを構成するように塗布見本を配置することもできる。また、２つの三角ダイアグラムにおける基本色塗料３種のうち２種が共通する場合、２つの三角ダイアグラムが互いに一辺を共有するようにして、塗布見本を配置した構成とすることができる。具体的には、図４に示す本発明の態様では、基材シート上に、基本色塗料である黄色系塗料、白色系塗料及び緑色系塗料の３種の塗布見本が、三角ダイアグラムの頂点に位置する塗布見本３−ａ、３−ｂ及び３−ｃとして配置されている第一の三角ダイアグラム６と、青色系塗料（３−ｄ）、白色系塗料（３−ｂ）及び緑色系塗料（３−ｃ）の３種を基本色塗料を頂点とする第二の三角ダイアグラム７が設けられており、これらは、基本色塗料３種のうち、白及び緑の２種が共通しているため、３−ｂから３−ｃまでの一列の塗布見本３を共有している。
さらに、本発明の色見本シートは、図５に示すように、基材シート上に４つの三角ダイアグラムを構成するように塗布見本を配置することも可能である。図５に示す本発明の色見本シートでは、４つの三角ダイアグラムのうち、隣接する２つが互いに上述と同様にして一列の塗布見本３を共有している。
【００１７】
本発明の色見本シートは、上述と同様にして、多数の三角ダイアグラムを構成するように塗布見本を配置することも可能であり、さらに上述と同様に、隣接する三角ダイアグラムにおける基本色塗料３種のうち２種が共通する場合には、互いに一辺を共有する構成とすることができる。１つの色見本シートに構成される三角ダイアグラムの数としては、１〜６個であると、塗布見本と塗料の組成比との関係を確認し易いため好ましい。尚、４個の三角ダイアグラムを設ける場合には、各三角ダイアグラムは直角三角形であると好ましく、６個の三角ダイアグラムを設ける場合には、各三角ダイアグラムは正三角形であると好ましい。
また、複数の本発明の色見本シートを接合したり、成形体等に貼付して、多角錐等の立体とすることで、立体色見本とすることも可能である。
【００１８】
また本発明は、各三角ダイアグラムにおいて、基本色塗料を含有する塗料に代えて、塗料ベース及びカラーベースを含有する塗料の塗布見本が設けられている色見本シートをも提供する。この場合、カラーベースとしては、３種以上のカラーベースから選ばれる１〜３種を用いることが可能であり、各三角ダイアグラム内の各塗布見本の位置は、塗料における３種のカラーベースの組成比を示す。尚、各塗料が含有する塗料ベースの種類と配合比率は、実質的に同じであることが好ましい。
前記塗料ベースとは、水、油、溶剤、樹脂成分、ワックス等から選択される１種以上を含む未着色状態のビヒクルである。樹脂成分としては、液状及び／又は粉体状の樹脂成分を含有することができ、熱硬化性樹脂組成物が好ましく、具体的には、水酸基などの架橋性官能基を有する、アクリル樹脂、ポリエステル樹脂、アルキド樹脂、ウレタン樹脂などの基体樹脂を、メラミン樹脂、尿素樹脂、ポリイソシアネ−ト化合物（ブロック体も含む）などの架橋剤と併用したものが挙げられ、これらは有機溶剤及び／又は水などの溶剤に溶解または分散して使用することができる。
前記カラーベースとしては、インク用、塗料用として従来公知の顔料等を１種あるいは２種以上組み合わせて使用することができる。顔料の具体例としては、酸化チタン、酸化鉄等の金属酸化物顔料、チタンイエロー等の複合酸化金属顔料、カーボンブラック、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサン系顔料、インジゴ系顔料等を挙げることができる。
【実施例】
【００１９】
次に、本発明を実施例によりさらに詳細に説明するが、本発明はこれらの例によってなんら限定されるものではない。
また、色見本シートの基本色塗料として用いた各塗料の種類を以下に示す。
黄色系塗料：ダイスコート  ８００Ｐ  Ｙｅｌｌｏｗ（大日精化工業株式会社製）
白色系塗料：ダイスコート  ８００Ｐ  Ｗｈｉｔｅ（大日精化工業株式会社製）
緑色系塗料：ダイスコート  ８００Ｐ  Ｇｒｅｅｎ  Ｂ（大日精化工業株式会社製）
黒色系塗料：ダイスコート  ８００Ｐ  Ｂｌａｃｋ（大日精化工業株式会社製）
青色系塗料：ダイスコート  ８００Ｐ  Ｂｌｕｅ（大日精化工業株式会社製）
【００２０】
実施例１
黄色系塗料、白色系塗料及び緑色系塗料の３種を基本色塗料とし、表１に示す配合比（質量比）で配合塗料を調整した。
【表１】
2010002310.tif 000003
【００２１】
【表２】
2010002310.tif 000004
【００２２】
得られた配合塗料Ａ０１〜Ａ１８及び基本色塗料３種を、それぞれ２．５ｃｍ×２．０ｃｍの厚紙片に塗布して、各塗料のサンプル片を作製した。これらのサンプル片を、Ａ４サイズの厚紙に、直角三角形の三角ダイアグラムを構成するように貼付した。その際、三角ダイアグラムの直角の頂点に白色系塗料のサンプル片、厚紙上端寄りの頂点に黄色系塗料のサンプル片、厚紙左端寄りの頂点に緑色系塗料のサンプル片を貼付し、配合塗料Ａ０１〜Ａ１８のサンプル片は、各配合比率に応じた位置に貼付した。厚紙の空いている個所に、色見本と同じ配列の表を設け、各サンプル片の位置と対応する場所に、当該サンプル片に塗布した塗料が含有する基本色塗料３種の組成比を記載した。得られた色見本シートを図１に示す。
【００２３】
実施例２
実施例１で用いられた基本色塗料３種及び得られた配合塗料Ａ０１〜Ａ１８それぞれ１０質量部に対して、黒色系塗料１質量部を添加し、配合塗料Ａ１９〜３９を調整した。表２にその配合比を示す。
【表３】
2010002310.tif 000005
【００２４】
【表４】
2010002310.tif 000006
【００２５】
Ａ４サイズの厚紙に、直角三角形の三角ダイアグラムを構成するように、２．５ｃｍ×２．０ｃｍの長方形を印刷した。三角ダイアグラムの直角の頂点に位置する長方形に、配合塗料Ａ３９を塗布し、厚紙上端寄りの頂点に位置する長方形に、配合塗料Ａ３７を塗布し、厚紙左端寄りの頂点に位置する長方形に、配合塗料３８と塗布し、配合塗料Ａ１９〜Ａ３６は、各配合比率に応じた長方形に塗布し、それぞれ各塗料の塗布見本とした。厚紙の空いている個所に、色見本と同じ配列の表を設け、各塗布見本の位置と対応する場所に、当該塗布見本の塗料が含有する基本色塗料３種及び黒色系塗料の組成比を記載した。得られた色見本シートを図２に示す。
【００２６】
実施例３
赤色系塗料、黄色系塗料及び黒色系塗料の３種を基本色塗料とし、表３に示す配合比（質量比）で配合塗料を調整した。
【表５】
2010002310.tif 000007
【００２７】
得られた配合塗料Ｂ０１〜Ｂ１２を用いて、実施例１と同様にして、各配合塗料のサンプル片を作製した。Ａ４サイズの厚紙に三角ダイアグラムを描き、フルスケールを１００％として、２５％、５０％、７５％の目盛線を引いた。三角ダイアグラムの頂点及び目盛線の交点に、それぞれ対応する基本色塗料又は配合塗料のサンプル片を貼付した。得られた色見本シートを図３に示す。
【００２８】
実施例４
青色系塗料、白色系塗料及び緑色系塗料の３種を基本色塗料とし、表４に示す配合比（質量比）で配合塗料を調整した。
【表６】
2010002310.tif 000008
【００２９】
得られた配合塗料Ｃ０１〜Ｃ１４、実施例１で得られた配合塗料Ａ０１〜Ａ１８、黄色系塗料、緑色系塗料、白色系塗料及び青色系塗料を用いて、実施例１と同様にしてサンプル片を作製した。これらのサンプル片を、Ａ４サイズの厚紙に、直角三角形の三角ダイアグラムを２つ構成するように、以下のようにして貼付した。まず、黄色系塗料、緑色系塗料及び白色系塗料を頂点とする第一の三角ダイアグラムを、実施例１と同様にして設けた。第一の三角ダイアグラムの底辺を構成する６つのサンプル片、すなわち、白色系塗料、配合塗料Ａ１８、Ａ１７、Ａ１６、Ａ１５及び緑色系塗料を、第二の三角ダイアグラムの底辺として見立てて、青色系塗料、緑色系塗料及び白色系塗料を頂点とする第二の三角ダイアグラムを構成するように、配合塗料Ｃ０１〜Ｃ１４及び青色系塗料のサンプル片を貼付した。厚紙の空白部分に、色見本と同じ配列の表を儲け、各サンプル片の位置と対応する場所に、当該サンプル片に塗布した塗料の組成比の値を記載した。得られた色見本シートを図４に示す。
【００３０】
実施例１〜４で得られた色見本シートは、基本色塗料から得られる多くの配合塗料を網羅しており、これらの色味及び組成比が一目で確認できるため、塗料メーカーはこれに基づいて配合塗料を調整することで、特注色の調色にかかる時間とコストを省きつつ、色見本と同一の塗料を容易に調整することができる。さらに、調色の経験のないユーザーであっても、本色見本シートを用いることで、所望の色の組成比を知ることができるため、基本色塗料からこれらの色を比較的容易に調色することができる。
【産業上の利用可能性】
【００３１】
以上詳細に説明したように、本発明の色見本シートを用いることで、基本色塗料を特定の組成比で配合して得られる塗料の色味を容易に確認できる。このため、本発明の色見本シートは、塗料メーカーやユーザーに用いられる色見本として極めて有用である。
【図面の簡単な説明】
【００３２】
【図１】本発明の色見本シートの一態様を示す図である。
【図２】塗布見本上に組成表示を有する本発明の色見本シートを示す図である。
【図３】正三角形型の三角ダイアグラムを構成するように塗布見本が配置されている本発明の色見本シートを示す図である。
【図４】２つの三角ダイアグラムを構成するように塗布見本が配置されている本発明の色見本シートを示す図である。
【図５】４つの三角ダイアグラムを構成するように塗布見本が配置されている本発明の色見本シートを示す図である。
【符号の説明】
【００３３】
１：色見本シート
２：基材シート
３：塗布見本
３−ａ：黄色系塗料の塗布見本
３−ｂ：白色系塗料の塗布見本
３−ｃ：緑色系塗料の塗布見本
３−ｄ：黄色系塗料及び白色系塗料を８：２で配合して得られた塗料の塗布見本
３−ｅ：緑色系塗料及び白色系塗料を８：２で配合して得られた塗料の塗布見本
３−ｆ：黄色系塗料、緑色系塗料及び白色系塗料を２：２：６で配合して得られた塗料の塗布見本
３−ｇ：青色系塗料の塗布見本
４：表
５：組成表示
６：黄色系塗料、白色系塗料及び緑色系塗料を頂点とする第一の三角ダイアグラム
７：青色系塗料、白色系塗料及び緑色系塗料を頂点とする第二の三角ダイアグラム
【図１】
2010002310.tif 000009
【図２】
2010002310.tif 000010
【図３】
2010002310.tif 000011
【図４】
2010002310.tif 000012
【図５】
2010002310.tif 000013